(57)【要約】【課題】容器本体の口頸部に弾性変形可能に形成した蓋体を嵌合、係止させて密閉すると共に、蓋体の側壁部を押圧して変形せしめて開蓋するようにした密閉容器を提供する。【解決手段】中空の容器本体１の口頸部に蓋体を係止する環状突条３を円周方向に設けて内容物を収容可能な容器本体１を形成して、また、前記容器本体１の口頸部に嵌着可能な蓋部の円筒状壁部に前記環状突条３に係止する複数の係合片４を突設すると共に、前記円筒状壁部を弾性変形可能に形成した蓋体２を形成して、前記蓋体２を容器本体１の口頸部に嵌合、係止せしめて閉蓋できて、且つ、前記円筒状壁部を押圧変形せしめて開蓋できるようにした着脱自在な嵌合式の蓋体を有する密閉容器を形成する。【選択図】　　　　図１
2004059055.tif 000002
【特許請求の範囲】
【請求項１】
中空の容器本体の口頸部に蓋体を係止する環状突条を円周方向に設けた容器本体を形成すると共に、蓋部の円筒状壁面に前記環状突条に係止する複数の短い係合片を突設した蓋体を形成して、前記蓋体を容器本体の口頸部に嵌合せしめて前記係合片を環状突条に係止して着脱自在となして、容易に密閉するように形成してなることを特徴とする嵌合蓋式の密閉容器。
【請求項２】
前記蓋体は、前記容器本体の環状突条に係止する二つの係合片が１８０度の間隔をおいた対称位置に突設されてなることを特徴とする請求項１に記載する嵌合蓋式の密閉容器。
【請求項３】
前記蓋体は、前記係合片が突設されていない壁面の押圧作用により係合片が突設された壁面が突出変形可能に形成されてなることを特徴とする請求項１または請求項２に記載するネジ蓋式の密封容器。
【請求項４】
前記容器本体および蓋体は、金属板の成形加工により形成されてなることを特徴とする請求項１に記載する嵌合蓋式の密封容器。
【発明の詳細な説明】
【０００１】
【発明の属する技術分野】
本願の発明は、各種の内容物を収容する中空容器の開口部の口頸外周部に係合突起が形成された容器本体に対して、内周面に係合片が突設された蓋体を被着、嵌合せしめて密封する密封容器に係わるもので、中でも、中空容器本体の口頸部の外周壁面に環状の係合突起を形成すると共に、蓋体の内周壁面に前記係合突起に係合して係止する係合片を複数設けた蓋体を形成して、該蓋体を前記容器本体の口頸部に素早く簡単に嵌合せしめて密閉できるようにすると共に、嵌合された蓋体は指先により押圧変形させることにより簡単に開蓋できるようにした着脱自在な蓋体を有する密閉容器に関するものである。
【０００２】
【従来の技術】
従来から着脱自在な蓋体を有する密閉容器として、ネジ蓋を用いた密封容器が、飲料その他の液体を収容した液体容器、ジャムその他の食品を収容した広口の食品容器、クリームや乳液等を収容した化粧品容器、靴墨やワックス等を収容した容器その他に広く用いられてきた。
そして、上記したような容器には、ガラスや合成樹脂、その他で成形された容器本体の口頸部に、金属またはエボナイトや合成樹脂で形成されたネジ蓋を螺合して密封するようにしたもの、または、金属で成形された容器本体に金属のネジ蓋を螺合して密封するようにしたものが、一般に使用されてきた。
【０００３】
上記したような密封容器は、特別な道具を用いなくてもネジ蓋を回動させるだけで、簡単に開封することができて、また、再び閉じたりすることができて、非常に便利であることから多くの密封容器に使用されている。
しかし、一般に多用されている上記したような容器は、容器本体の口頸部に一条のネジ山が所定のピッチで一周または２周程度に形成されていて、前記ネジ山と同一ピッチのネジが内周面に形成されたネジ蓋を、前記容器本体に螺合させることにより、容器の開口部を密封するようにしたものであり、通常はネジ蓋が弛むのを防止する点についての考慮がなされていないものが一般的である。
【０００４】
そして、上記した容器の口径が大きい広口容器の場合には、容器本体の口頸部のネジ山の先端部にネジ蓋の溝を噛み合わせて、ネジ蓋を容器本体の口頸部に正確に螺合させるには、ネジ蓋を半周以上にわたって慎重に回転させなくては螺合できない場合があり、不便さを感ずることがある。
また、上記のようなネジ蓋を螺着した密封容器に於いては、ネジ蓋が螺着された後で、ネジ部に戻り応力が発生して、ネジ蓋が自然に緩むことがあるので、これらの容器は、ネジ蓋を強く締め付けておいても、外部からの振動等によりネジ蓋が弛んでしまうことがあり、特に、容器内に油性の内容物が収容されている場合には、ネジ面に油分が付着して蓋と容器本体との間の摩擦力が低下して、ネジ蓋は一層弛みやすくなることから、容器の気密性の点で問題がある。
【０００５】
そこで、ネジ蓋をできるだけ少ない回転で容器の口頸部に螺着できるようにするために　図７に示すように、容器本体２１の口頸部の外壁面に１８０度の間隔をおいて２条の螺旋ネジ２１ａ，２１ｂを設けると共に、ネジ蓋２２に前記２条の螺旋ネジと螺合する螺合ネジ２２ａ，２２ｂを設けたネジ蓋２２を形成することにより、ネジ蓋２２を２分の１周以下の回転により螺合できるようにしたものが知られている。
【０００６】
上記のような容器は、従来から用いられている容器に比べれば、ネジ蓋２２の螺合ネジ部を簡単に容器本体２１の口頸部の螺旋ネジ部に螺着することはできるが、しかし、螺着されたネジ蓋２２に戻り現象が発生して気密性が失われる恐れがあり、特に、金属製容器の場合には戻り現象が発生し易い点についての考慮が欠けている。
そこで、上記したような問題点を解決する手段として、ネジ蓋に代えて弾性変形が可能な蓋体を用いて、容器本体の口頸部に嵌合、密閉するようにして、蓋体を容器の口頸部に素早く、簡単に着脱できるようにすると共に、嵌着された蓋体が自然に弛むことがないようにしたものとして、実行平７−２３４１１号公報に記載されるような密閉容器が提案されている。
【０００７】
上記考案の密閉容器は、図８に示すように、容器本体３１の口頸部の外周面に蓋体３２を嵌合、係止する環状の突条３３と蓋止め用環状リブ３４を形成すると共に、開口端部が環状筒体３１ａに形成された容器本体３１と、蓋体３２の開口端部を環状筒体３２ａに形成すると共に前記口頸部の環状突条３３に係合するように形成した蓋体３２とからなり、前記蓋体３２を容器本体３１の口頸部に被着して押圧すると、蓋体３２の環状筒体３２ａが前記環状の突条３３を乗り越えて環状リブ３４に当接して、蓋体３２は容器本体３１の口頸部に素早く嵌合されて、開口部を密閉できるように構成したものである。
【０００８】
また、上記公報には、蓋体３２を嵌合、係止する環状の突条３３に代えて、複数の短い嵌合突起を容器本体３１の口頸部に設けて、蓋体を嵌合、係止するようにしたものが記載されているが、いずれも、蓋体３２の弾性変形を利用して容器本体３１の口頸部の環状突条に蓋体を嵌合、係止するようにしたものであり、係合した蓋体が自然に開蓋方向に戻るようなことはない。
しかし、蓋体の環状筒体３２ａの全体が口頸部の環状突条３３に押圧、係合されているので、このような蓋体を開ける場合には、蓋体と口頸部の間に爪先かそれに代わるものを差し込んで、蓋体を押し上げなければならないというやや面倒な点がある。
そこで、容器本体と蓋体との嵌合手段を簡単な構造をして、蓋体を小さな力で簡単に素早く開けることができるようにした密閉容器の出現が望まれる。
【０００９】
【発明が解決しようとする課題】
本願の発明は、上記したような問題点を解決して、嵌合蓋形式の密閉容器に於いて、蓋体を容器本体に対して容易に着脱することができて、気密性も維持するように創案されたもので、中空容器の口頸部に蓋体を嵌着して密閉状態に保持するのに、できるだけ構造を簡単にすると共に、あらゆる中空容器に適用できるような構造にして、ネジ蓋を少し変形させるだけで中空容器の口頸部に嵌着することができて、また、蓋体を押圧して簡単に変形させるだけで素早く、スムーズに開けることができるように形成すると共に、容器の口頸部に嵌着された蓋体は、開封操作が行われた時以外には、振動や衝撃等の外力により自然に弛んで開蓋されることがないように構成された密封容器を提供する。
【００１０】
【課題を解決するための手段】
本願の発明は、上記した目的を達成するために、中空容器の口頸部の外周面に設けられた環状の突条に蓋体を嵌合せしめて密閉する嵌合蓋形式の密閉容器に於いて、蓋体の筒状壁面に前記環状の突条に係合する短い係止片を複数個突設して容器本体に嵌着可能な蓋体を形成すると共に、該蓋体の筒状壁部を弾性変形可能に形成して、前記容器本体に素早く、簡単に着脱自在となした蓋体を形成して、蓋体を押圧して僅かに変形させるだけで開蓋できるように構成すると共に、振動や衝撃等の外力により自然に開蓋することがないように構成した密閉容器を形成する。
【００１１】
【発明の実施の形態】
本願発明に於ける嵌合蓋式の密封容器Ａは、中空の容器本体の口頸部に蓋体２を係合する環状の突条部３を設けて容器本体１を形成して、また、蓋体２の筒状壁に前記口頸部の環状突条部３に係合して係止される複数の短い係止片４を突設すると共に、蓋体２の筒状の側壁部を押圧により変形可能に形成して、容器本体に嵌合、係止される蓋体を形成する。
【００１２】
上記のようにして形成された中空の容器本体１内に、クリーム状の化粧料やその他の内容物を収容した後、前記蓋体２を容器本体１の口頸部に被着せしめて押圧すると、蓋体２は容器本体の口頸部の環状の突条部３を乗り越えて嵌合されると共に、蓋体２の係止片４が前記容器本体１の環状突条部３に係止されて固定した嵌合蓋形式の密閉容器Ａが形成される。
そして、このように構成された密閉容器を開蓋するには、前記蓋体２の筒状壁部の係止片４が設けられていない壁面部分を内側へ強く押圧して変形させると、前記蓋体２の筒状壁部の係止片４が環状突条部３から離れて係合関係が解消して、蓋体２は容器本体１から分離して簡単に開かれて内容物を使用可能になる。
【００１３】
【実施例】
以下に、本願発明の密封容器について、一つの最適な実施例に基づいて、図面を参照しつつ詳細に説明する。
本願発明は、金属板からなる素材をプレス加工により打ち抜いて形成したブランク材を、容器の本体部分（身部分）および蓋体部分の形状に合わせた深絞り加工を行った成形品のそれぞれに対してローラー加工を施して、図１に示すように、成形品の開口端部を筒状に丸めて環状に成形すると共に、容器部分の円筒状の壁面には環状の突条３を突設せしめて成形した容器本体１と、また、蓋部分の円筒状の壁面には容器本体の環状の突条部に係止する係止片４を突設して成形した蓋体２とからなり、図１に示すような容器本体１の口頸部に前記蓋体２が着脱自在に嵌合可能に形成された密閉容器Ａである。
【００１４】
上記した本願発明の密封容器Ａは、ローラー加工により図２および図３に示すように、容器本体１の開口端に近い口頸部の周壁面に環状の突条（外側に凸）３を形成すると共に、開口端部１ａを筒状に丸く加工した環状に形成する。
また、同じように、蓋体２の開口端に近い部分の周壁面に複数の短い係止片４（内側に凸）を、ローラー加工により等間隔（図示する例に於いては２個）に形成すると共に、開口端部２ａを筒状に丸く加工した環状に形成して、前記容器本体１の環状の突条３に係止可能に形成する。
【００１５】
上記のようにして形成された蓋体２を容器本体１の口頸部に被着せしめて押圧すると、蓋体２は容器本体１の口頸部に簡単に嵌合されると共に、蓋体２の係止片４が口頸部の環状突条３に係止して固定、密閉された密封容器Ａに形成されるが、更に、図３に示すように、蓋体２の天板の裏面にパッキン６を設けておけば、より良い気密性を有する密閉容器に形成することができる。
【００１６】
上記のように形成された密封容器の容器本体１内に、各種のクリームやワックス、または、錠剤や喉飴その他の内容物を収容して、前記蓋体２を容器本体１の口頸部に被着してから押圧すると、蓋体２は容器本体１の口頸部に嵌合されて、蓋体２に設けた係止片４が前記口頸部の環状突条３部分を乗り越えて移動して、図６（ａ）に示すように、前記係止片４は環状突条３に係合して固定されて、容器本体１の開口部が蓋体２で密閉された密閉容器Ａが形成される。
【００１７】
そして、上記のように形成された密閉容器Ａを使用するに際して、前記蓋体２を開くには、図４に示すように、蓋体２に係止片４が設けられていない側の円筒壁面を指先で内側へ押圧すると、図５に点線で示すように、円筒壁の内側に存在する僅かな空間部が押圧変形されて、蓋体の係止片４が設けられている側壁面が外側に出っ張るように変形するので、図６（ｂ）に示すように、係止片４と環状突条３との係止状態が解消されて、両者の間には隙間ができる結果、蓋体２を上方へ引き上げると簡単に取り除くことができる。
【００１８】
上記したような構造をした本願発明の密封容器Ａは、内容物が収容された容器本体１の開口部を蓋体２により密閉するには、弾性変形可能な蓋体２を容器本体１の口頸部に被着して押圧するだけで、容器本体１の口頸部に蓋体２を弾性嵌合させて密閉することができるので、従来のように密閉する蓋体を位置合わせしてから回動させて、容器本体の口頸部に設けられた螺旋状のネジに螺合させたり、あるいは、蓋体の環状筒体の全体を口頸部の環状突条に押圧、係合させたりする必要がないので、本願発明の蓋体２は、短い時間内に素早く容器本体１の口頸部に嵌着させることができて、また、嵌着した蓋体２は自然に弛んで開くようなことがない。
【００１９】
また、上記した実施例では、中空容器として金属板をプレス加工やローラー加工を行って口頸部に環状の突条３が形成された容器本体１に、円筒側壁部に係止片４が設けられた変形可能な金属製の蓋体２を嵌着して密封するようにした金属製の広口容器について述べたが、本願の発明は、上記のような広口の金属容器に限定されるものではなくて、ガラスや合成樹脂を用いて形成された中空の容器本体に変形可能に形成した金属蓋体を嵌着して密閉することも可能であることは言うまでもないし、また、蓋体は金属製でなくて合成樹脂等の変形可能なものにすることも可能であり、更には金属や合成樹脂、その他の異なる材質からなる容器本体と蓋体とを適当に組み合わせた密封容器にすることもできる。
【００２０】
【発明の効果】
以上述べたように、本願発明は、容器本体の開口部に蓋体を密着させて密閉する手段として、従来のように口頸部に形成した螺旋条のネジに蓋体を螺合して密閉するのに代えて、容器本体の口頸部もしくは開口端部に環状の突条部を形成して、また、前記環状の突条部に係合する係止片を内周面に複数個形成して前記容器本体の口頸部に嵌合可能にした蓋体を形成すると共に、該蓋体を弾性変形可能に形成して、前記蓋体を前記容器本体の口頸部に嵌合せしめて、前記係止片を環状突起部に係止して固定する密封容器を構成したので、蓋体を容器本体の口頸部に着脱自在となして簡単に開閉することができる。
【図面の簡単な説明】
【図１】本願発明の密封容器を示す蓋体（ａ）と容器本体（ｂ）の斜視図である。
【図２】図１に示す蓋体（ａ）を容器本体（ｂ）に嵌着する説明図である。
【図３】図２に示した密封容器の蓋体と容器本体の断面図である。
【図４】本願発明の密封容器の蓋体を開く状態を示す斜視図である。
【図５】図４に示した容器の開蓋時の状態を示す説明図である。
【図６】図５に示す容器の閉蓋時（ａ）と開蓋時（ｂ）の状態を示す断面図である。
【図７】従来のネジ式密封容器の蓋体（ａ）と容器本体（ｂ）を示す斜視図である。
【図８】本願発明の先行例の密封容器を示す斜視図である。
【図９】図８に示した容器の閉蓋時の断面図である。
【符号の説明】
１．　　容器本体
１ａ．　開口端部
２．　　蓋体
２ａ．　開口端部
３．　　環状突条
４．　　係止片
６．　　パッキン
Ａ．　　密封容器
【図１】
2004059055.tif 000003
【図２】
2004059055.tif 000004
【図３】
2004059055.tif 000005
【図４】
2004059055.tif 000006
【図５】
2004059055.tif 000007
【図６】
2004059055.tif 000008
【図７】
2004059055.tif 000009
【図８】
2004059055.tif 000010
【図９】
2004059055.tif 000011